【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
ネットワークに接続されたサーバと宅内にある家電機器を監視する宅内管理装置とを備え、前記家電機器をネットワーク経由で操作端末から制御する機器制御システムであって、
前記宅内管理装置は、前記サーバとの通信ができなくなった時点から一定時間が経過するまでに、宅内操作端末で前記家電機器の操作が行われず、かつ、前記サーバとの通信が再開しないとき、前記サーバとの通信が途絶状態であることを示す途絶状態情報を生成し、この途絶状態情報に基づいて前記家電機器が停止したことを示す停止情報を含む運転履歴情報を管理し、この運転履歴情報に基づく運転履歴を宅外にある前記操作端末または宅内にある前記操作端末に表示させることを特徴とする機器制御システム。
【請求項２】
ネットワークに接続されたサーバと宅内にある家電機器を監視する宅内管理装置とを備え、前記家電機器をネットワーク経由で操作端末から制御する機器制御システムであって、
前記宅内管理装置は、前記サーバとの通信ができなくなった時点から一定時間が経過するまでに、宅内操作端末で前記家電機器の操作が行われず、かつ、前記サーバとの通信が再開しないとき、前記サーバとの通信が途絶状態であることを示す途絶状態情報を生成し、
前記家電機器は、前記途絶状態情報に基づいて前記家電機器を停止させると共に、前記家電機器が停止したことを示す停止情報を含む運転履歴情報を管理し、この運転履歴情報に基づく運転履歴を宅外にある前記操作端末または宅内にある前記操作端末に表示させることを特徴とする機器制御システム。
【請求項３】
前記宅内管理装置は前記家電機器が宅外にある前記操作端末によって制御されている時に、前記途絶状態情報を生成することを特徴とする請求項１または２に記載の機器制御システム。
【請求項４】
宅外にある前記操作端末または宅内にある前記操作端末に表示される運転履歴には、宅外にある前記操作端末であるか宅内にある前記操作端末であるかを示す操作端末情報が含まれることを特徴とする請求項１から３の何れか１項に記載の機器制御システム。
【請求項５】
宅外にある前記操作端末または宅内にある前記操作端末に表示される運転履歴は、前記家電機器が設置された場所毎、または前記家電機器の種別毎に表示されることを特徴とする請求項１から４の何れか１項に記載の機器制御システム。
【請求項６】
宅外にある前記操作端末または宅内にある前記操作端末に表示される運転履歴は、同種の項目毎に色分けして表示されることを特徴とする請求項１から５の何れか１項に記載の機器制御システム。
【請求項７】
宅外にある前記操作端末または宅内にある前記操作端末には、前記運転履歴情報に基づいて前記停止情報のみ表示されることを特徴とする請求項１から６の何れか１項に記載の機器制御システム。
【請求項８】
宅外にある前記操作端末または宅内にある前記操作端末に表示させる運転履歴は、プルダウンメニューを選択して表示されることを特徴とする請求項１から７の何れか１項に記載の機器制御システム。
【請求項９】
前記運転履歴は、機器制御システムへのアクセス権が与えられた宅外にある前記操作端末または宅内にある前記操作端末に表示されることを特徴とする請求項１から８の何れか１項に記載の機器制御システム。
【請求項１０】
宅内に設置されネットワーク経由で操作端末から制御される家電機器であって、
前記ネットワークに接続されたサーバとの通信ができなくなった時点から一定時間が経過するまでに、宅内操作端末で前記家電機器の操作が行われず、かつ、前記サーバとの通信が再開しないとき、前記サーバとの通信が途絶状態であることを示す途絶状態情報に基づいて前記家電機器を停止させると共に、前記家電機器が停止したことを示す停止情報を含む運転履歴情報を管理し、この運転履歴情報に基づく運転履歴を宅外にある前記操作端末または宅内にある前記操作端末に表示させることを特徴とする家電機器。
【請求項１１】
ネットワークに接続されたサーバと宅内にある家電機器を監視する宅内管理装置とを備え、前記家電機器をネットワーク経由で操作端末から制御する機器制御システムに設けられる宅内管理装置であって、
前記サーバとの通信ができなくなった時点から一定時間が経過するまでに、宅内操作端末で前記家電機器の操作が行われず、かつ、前記サーバとの通信が再開しないとき、前記サーバとの通信が途絶状態であることを示す途絶状態情報を生成し、この途絶状態情報に基づいて前記家電機器が停止したことを示す停止情報を含む運転履歴情報を管理し、この運転履歴情報に基づく運転履歴を宅外にある操作端末または宅内にある操作端末に表示させることを特徴とする宅内管理装置。
【請求項１２】
ネットワークに接続されたサーバと宅内にある家電機器を監視する宅内管理装置とを備え、前記家電機器をネットワーク経由で操作端末から制御する機器制御システムに設けられる宅内管理装置であって、
前記宅内管理装置は、
前記サーバとの通信ができなくなった時点から一定時間が経過するまでに、宅内操作端末で前記家電機器の操作が行われず、かつ、前記サーバとの通信が再開しないとき、前記サーバとの通信が途絶状態であることを示す途絶状態情報を生成し、
前記途絶状態情報に基づいて前記家電機器が停止すると共に、前記家電機器が停止したことを示す停止情報を含む運転履歴情報を管理し、この運転履歴情報に基づく運転履歴を宅外にある前記操作端末または宅内にある前記操作端末に表示させることを特徴とする宅内管理装置。
【手続補正２】
【補正対象書類名】明細書
【補正対象項目名】発明の名称
【補正方法】変更
【補正の内容】
【発明の名称】機器制御システム、家電機器、および宅内管理装置
【手続補正３】
【補正対象書類名】明細書
【補正対象項目名】０００１
【補正方法】変更
【補正の内容】
【０００１】
本発明は、機器制御システム、家電機器、および宅内管理装置に関する。
【手続補正４】
【補正対象書類名】明細書
【補正対象項目名】０００５
【補正方法】変更
【補正の内容】
【０００５】
本発明は、上記に鑑みてなされたものであって、被制御機器が異常停止した履歴を確認することができる機器制御システム、家電機器、および宅内管理装置を得ることを目的とする。
【手続補正５】
【補正対象書類名】明細書
【補正対象項目名】０００６
【補正方法】変更
【補正の内容】
【０００６】
上述した課題を解決し、目的を達成するために、本発明は、ネットワークに接続されたサーバと宅内にある家電機器を監視する宅内管理装置とを備え、前記家電機器をネットワーク経由で操作端末から制御する機器制御システムであって、前記宅内管理装置は、前記サーバとの通信ができなくなった時点から一定時間が経過するまでに、宅内操作端末で前記家電機器の操作が行われず、かつ、前記サーバとの通信が再開しないとき、前記サーバとの通信が途絶状態であることを示す途絶状態情報を生成し、この途絶状態情報に基づいて前記家電機器が停止したことを示す停止情報を含む運転履歴情報を管理し、この運転履歴情報に基づく運転履歴を宅外にある前記操作端末または宅内にある前記操作端末に表示させることを特徴とする。
【手続補正６】
【補正対象書類名】明細書
【補正対象項目名】０００９
【補正方法】変更
【補正の内容】
【０００９】
以下に、本発明に係る機器制御システム、家電機器、および宅内管理装置の実施の形態を図面に基づいて詳細に説明する。なお、この実施の形態によりこの発明が限定されるものではない。